(57)【要約】当該装置は、シンセサイザとして知られるメロディ生成器（１９）を有する。当該シンセサイザは、多数のチャネルＣ１、Ｃ２、・・・、Ｃ９を処理することを可能とし、これらのチャネルのうちの少なくとも１つが、とりわけマイクロフォン（１７）から来るボーカル信号を処理するために割り当てられる。合成されたメロディが、例えばＳＭＳや電子メール等のような、前記装置のための送信方法の機能を利用して、種々の通信者に送信されても良い。
2006518867.tif 000002
【特許請求の範囲】
【請求項１】
種々のチャネルからの音声を処理するために適切な、シンセサイザとして知られるタイプのメロディ生成器を有する通信装置。
【請求項２】
前記チャネルの少なくとも１つがボーカル信号に割り当てられる、請求項１に記載の装置。
【請求項３】
マイクロフォンを有し、前記生成器が前記ボーカル信号のチャネルの少なくとも１つを前記マイクロフォンに割り当てる、請求項２に記載の装置。
【請求項４】
無線電話受信器を有し、前記生成器が前記ボーカル信号のチャネルの少なくとも１つを前記無線電話受信器に割り当てる、請求項２又は３に記載の装置。
【請求項５】
ファイルへアクセスする手段が備えられ、前記生成器が前記ボーカル信号のチャネルの少なくとも１つを前記ファイルへアクセスする手段に割り当てる、請求項２乃至４のいずれか一項に記載の装置。
【請求項６】
前記チャネルの内容を変更する手段を有することを特徴とする、請求項１乃至５のいずれか一項に記載の装置。
【請求項７】
前記ファイルはＭＩＤＩタイプのファイルである、請求項５又は６に記載の装置。
【請求項８】
種々のチャネルの音声をミキシングする手段を有する、請求項１乃至７のいずれか一項に記載の装置。
【請求項９】
ユーザによって生成された前記音声を音楽ファイルの形で記録する手段を有する、請求項１乃至８のいずれか一項に記載の装置。
【請求項１０】
ＳＭＳ、ＩＲＤＡ、電子メール又はその他のタイプの送信方法のうちの少なくとも１つの通信方法を利用する手段を有し、前記音楽ファイルを送信するために該方法を利用する手段を有する、請求項９に記載の装置。
【請求項１１】
呼び出し音回路を有し、前記音楽ファイルを前記呼び出し音回路に供給する手段を有する、請求項１乃至１０のいずれか一項に記載の装置。
【請求項１２】
多数のチャネルから処理をする特定の数のチャネルを選択する手段を有する、請求項１乃至１１のいずれか一項に記載の装置。
【請求項１３】
通信者から呼を受信する手段を有し、前記音楽ファイルを前記音楽ファイルの再生の間に保存する手段を有する、請求項１乃至１２のいずれか一項に記載の装置。
【発明の詳細な説明】
【技術分野】
【０００１】
本発明は、種々の音楽チャネルを処理することができる、シンセサイザとして知られるタイプのメロディ生成器を有する通信装置に関する。
【０００２】
当該シンセサイザの存在は、ユーザが、とりわけ該ユーザの装置の呼び出し音を変更するために、これら種々のチャネルを組み合わせ及び／又はミキシングしメロディを生成することを可能とする。
【背景技術】
【０００３】
かような装置は、米国特許6,426,456において言及されており、該文献においては特に打楽器を模倣する音声を提供するように構成されたシンセサイザとして記載されている。
【発明の開示】
【発明が解決しようとする課題】
【０００４】
本発明は、ユーザに魅力的な機能を提供するための手段が備えられた、最初のパラグラフにおいて言及されたタイプの通信装置を提案する。
【課題を解決するための手段】
【０００５】
数あるなかでも、消費者向けのラジオ受信器の、前記装置の一部を形成するマイクロフォンのような種々の音源からの音声を、又は予め記録されたファイルからのボーカルをも、ミキシングすることが可能である。前記ラジオ受信器は、このタイプの装置を有していても良い。
【０００６】
他の魅力的な機能のなかでも、前記装置によって合成された音楽を、電子メールやＳＭＳを用いて及び赤外線インタフェース又はBluetooth（登録商標）として知られるシステムを介して、他の通信者に送信することが可能である。
【０００７】
本発明のこれらの及び他の特徴は、以下に説明される実施例を参照しながら、限定的でない例によって説明され明らかとなるであろう。
【発明を実施するための最良の形態】
【０００８】
図１は、例えばセルラー式電話ネットワークにおいて利用される無線電話のような通信装置１を示す。本装置は、該装置が接続しているネットワークと情報を交換するためのアンテナ２を有する。当該アンテナ２は、前記装置の無線電気部５に接続される。当該装置はまたマン−マシンインタフェース部８を有し、該マン−マシンインタフェース部８は、画面１０及びキーボード１２並びに動作のための関連する全ての回路を有する。最後に、とりわけラウドスピーカ１６、マイクロフォン１７及び音声生成器１９を有するオーディオ部１４が備えられる。音声生成器１９は、例えば登録商標である回路ＭＬ２８０２である。これらの部分の全ては、マイクロプロセッサシステム２０に依存して動作する。当該装置はまた、付属品として、ＦＭ周波数変調帯域における局を捕捉するための無線電話受信器２５を有する。該装置はまた、参照番号２７によって示される、赤外線により操作される通信回路ＩＲＤＡを有する。同様にBluetooth（登録商標）タイプの回路を備えることも可能である。
【０００９】
当該システム２０の動作は、メモリセット３０に含まれる命令のセットによって決定される。メモリセット３０はとりわけ、プログラムメモリと呼ばれるメモリ３２を有する。本発明の装置はメロディ生成器を有し、該メロディ生成器に対してはオーディオ部１４が根本的な役を果たす。当該生成器は、幾つかのチャネルから構成され得る、メロディのポリフォニック（polyphonic）な合成を可能とする。記載される本発明の範囲内には９つのチャネルがあり、参照記号Ｃ１、Ｃ２、Ｃ３、・・・、Ｃ９によって示される。図２に示されるように、これらのチャネルは前記画面上で可視化される。種々のバーｂ１、ｂ２、・・・は、これらのチャネルから来る音声の強度を示す。これらの音声は、ユーザによって望まれるレベルでミキシングされることができる。これらのチャネルの内容は、それぞれ位置Ｍｃ１、Ｍｃ２、・・・、Ｍｃｎにおいて、メモリセット３０に記憶される。「ｎ」は９より大きくても良い。しかしながら、９つのチャネルだけが、前記生成器によって処理される。図３に示すように、これらのチャネルは、前記画面における可視化により、またキーボード１２の種々のキーにおける操作によって制御される。前記生成器の利用の範囲内で、キー１乃至９が処理されるべきチャネルに関連する。それぞれ上方及び下方への移動、並びに左及び右への移動に対応する、種々の位置決め「ｕ」、「ｄ」、「ｌ」、「ｒ」を行うことができるナビゲーションボタン５０があることに留意されたい。「ｏｋ」キーは、原則的に、コマンドを有効にする。前記装置の側面の「＋」及び「−」ボタンは、とりわけラウドスピーカ１６からの音量の制御を可能とする。
【００１０】
前記装置の動作を説明する以下の図は、プログラムメモリ３２に適切な命令を実装することにより、当業者が本発明を実現することを可能とする。
【００１１】
図４は、前記メロディ生成器を制御するソフトウェアのアーキテクチャを説明する図を示す。本図は種々のボックスを有する。ボックスＪ０、Ｊ１及びＪ２はそれぞれ、前記画面、前記キーボード及び生成回路１９に関連する構成要素を表す。これら種々の構成要素は、それぞれＪ５、Ｊ６及びＪ７により示されるソフトウェアパイロットを必要とする。本図における参照番号Ｊ１０は、とりわけ構成要素Ｊ０、Ｊ１及びＪ２の全ての相互作用を制御する、ＭＭＩ（man-machine interface）マネージャを示す。本発明のメロディ生成器の特別な特徴は、ソフトウェアセットＪ１２に含まれる。ＡＰＩプログラミングインタフェースＪ１５及びＪ１７が備えられ、アプリケーションＪ２０に基づいてそれぞれソフトウェアセットＪ１０及びＪ１２にアクセスする。
【００１２】
図５は、音楽生成器が含まれた場合の、前記装置の動作を示す。ボックスＫ０は、前記アプリケーションの情報画面を示す。当該ボックスＫ０から、すぐにボックスＫ１へ自発的に進む。当該ボックスＫ１から、異なる機能を表す種々のボックスへ進み得る。キー＃を押下することにより、ボックスＫ５へ進む。ボックスＫ５は、リズムを変更することが可能なステップに対応する。リズムを調整した後、同じキーを操作することによりボックスＫ１に戻ることができる。当該ボックスＫ１において、メロディのスタイルを選択し、この目的のために「ｏｋ」キーを操作しても良く、ボックスＫ７において当該スタイルを選択することが可能である。スタイルの例は、「テクノ」、「グルーブ」、「ディスコ」等であっても良い。同じボックスＫ１から、キー１乃至９のうちの１つの短い押下ＳＰによりチャネル１乃至９のうちの１つに取り組むことが可能であり、押下されたキーに対応するチャネルのロードを可能とする。次いでボックスＫ１０へ進む。キー１乃至９のうちの１つを押下することにより、ボックスＫ２０においてチャネルが常に再生される。同じボックスＫ１０において、「＋」キー及び「−」キーを操作することにより、ボックスＫ２２において音量を変更することができる。キー「０」の押下は、ボックス２４において現在の音楽が記録されることを可能とする。記録の後、幾つかの選択肢が利用可能である。当該記録物は、種々の方法で送信され得る。ボックスＫ３０、Ｋ３２及びＫ３４は、これら方法の幾つかを表している。破線６０で示された他の方法は、明確には言及されない。ボックスＫ３０は、前記記録物を電子メールによって送信することに関連し、ボックスＫ３２は、前記記録物をＳＭＳプロトコルによって送信することに関連し、ボックスＫ３４はＩＲＤＡインタフェースの起動を可能とする。
【００１３】
ボックスＫ１から、キー１乃至９のうちの１つの長い押下ＬＰによって、他の機能へアクセスすることもできる。当該機能はボックスＫ４０において示される。当該ボックスにおいて、キー５を除くキー０乃至９のうちの１つが押下された場合、ボックスＫ４２におけるスタイルの選択へ進み、当該ボックスから、ボックスＫ４４における、位置Ｍｃ１乃至Ｍｃｎ（図１）におけるメロディへと進む。これらのメロディは、ボックスＫ４６においてリストが示される機器のうちの１つにおいて再生されても良い。
【００１４】
当該ボックスＫ４０において、キー５が押下された場合、ボックスＫ４８において提案されるように、当該チャネル５がＭＩＤＩファイルで、又はＡＤＰＣＭタイプのアナログタイプの音源からロードされることができる。ＭＩＤＩファイルが選択された場合、当該ファイルがロードされる。ＡＤＰＣＭの選択肢が採られた場合、ボックスＫ５０において示される、更なる選択が提示される。チャネル５は、マイクロフォン１７から直接に来る音声をロードされるか、受信器２５から若しくは又はメモリ３０に既に保存されたＡＤＰＣＭタイプのファイルから来る音声をロードされるかのいずれかである。
【００１５】
かくして本発明は、種々のチャネルから来る音声を処理するために適切な、シンセサイザとして知られるタイプのメロディ生成器を有する、以下のような特徴を持つ通信装置に関する。
−前記チャネルの少なくとも１つがボーカル信号に割り当てられる。
−マイクロフォンが備えられ、前記生成器が前記ボーカル信号のチャネルの少なくとも１つを前記マイクロフォンに割り当てる。
−無線電話受信器が備えられ、前記生成器が前記ボーカル信号のチャネルの少なくとも１つを前記無線電話受信器に割り当てる。
−ファイルへアクセスする手段が備えられ、前記生成器が前記ボーカル信号のチャネルの少なくとも１つを前記ファイルへアクセスする手段に割り当てる。
−前記チャネルの内容を変更する手段が備えられ、前記ファイルはＭＩＤＩタイプのものである。
−種々のチャネルの音声をミキシングする手段が備えられる。
−ユーザによって生成された前記音声を音楽ファイルの形で記録する手段が備えられる。
−ＳＭＳ、ＩＲＤＡ、電子メール又はその他のタイプの送信方法のうちの少なくとも１つの送信方法を利用する手段が備えられ、前記音楽ファイルを送信するために当該方法を利用する手段が備えられる。
−呼び出し音回路が備えられ、前記音楽ファイルを前記呼び出し音回路に供給する手段が備えられる。
−多数のチャネルから処理する特定の数のチャネルを選択する手段が備えられる。
−通信者から呼を受信する手段が備えられ、前記音楽ファイルを前記音楽ファイルの再生の間に保存する手段が備えられる。
【図面の簡単な説明】
【００１６】
【図１】本発明による通信装置を示す。
【図２】本発明による装置による処理のために音楽チャネルが表示された画面を示す。
【図３】本発明において利用される、装置の種々の鍵を示す。
【図４】本発明において利用されるソフトウェアのアーキテクチャを示す。
【図５】本発明を説明する図を示す。
【図１】
2006518867.tif 000003
【図２】
2006518867.tif 000004
【図３】
2006518867.tif 000005
【図４】
2006518867.tif 000006
【図５】
2006518867.tif 000007
【国際調査報告】
2006518867.tif 000008
2006518867.tif 000009
2006518867.tif 000010